(57)【要約】【課題】  使い勝手のより一層便利なカップ型灰皿を提供する。【解決手段】  本発明のカップ型灰皿１０は、カップホルダー装置のドリンク用カップを保持する円形状の保持凹所に挿入されて保持されるものであって、たばこの吸い殻を収容する円形状のカップ形状収容本体１１とカップ形状収容本体１１に対して開閉可能な蓋体１２とから構成され、カップ形状収容本体１１にはその周壁に保持凹所の周壁に係合する回り止め用リブ１３が形成されている。【選択図】  図５
2005162143.tif 000002
【特許請求の範囲】
【請求項１】
カップホルダー装置のドリンク用カップを保持する円形状の保持凹所に挿入されて保持されるカップ型灰皿であって、
たばこの吸い殻を収容する円形状のカップ形状収容本体と該カップ形状収容本体に対して開閉可能な蓋体とから構成され、前記カップ形状収容本体にはその周壁に前記保持凹所の周壁に係合する回り止め用リブが形成されていることを特徴とするカップ型灰皿。
【請求項２】
ドリンク用カップを保持する円形状の保持凹所に、たばこの吸い殻を収容する円形状のカップ形状収容本体と該カップ形状収容本体に対して開閉可能な蓋体とから構成されかつ前記カップ形状収容本体にはその周壁に前記保持凹所の周壁に係合する回り止め用リブと上下方向振動によるガタツキ防止用係合突起とが形成されているカップ型灰皿を保持することが可能なカップ型灰皿用のカップホルダー装置であって、
前記保持凹所の周壁には前記ガタツキ防止用係合突起に係合する係合穴が形成され、前記ガタツキ防止用係合突起は前記カップ形状収容本体の内部に照明光を導光する導光体から構成され、該係合穴には該係合穴を塞ぐ方向に付勢された開閉可能の遮光板が設けられ、前記係合穴には遮光板を介して照明光導光部材が臨まされていることを特徴とするカップ型灰皿用のカップホルダー装置。
【請求項３】
前記照明光導光部材の光源にＡ／Ｔデバイスの照明用の光源が兼用されていることを特徴とする請求項２に記載のカップ型灰皿用のカップホルダー装置。
【発明の詳細な説明】
【技術分野】
【０００１】
本発明は、カップ型灰皿及びカップ型灰皿用のカップホルダー装置の改良に関する。
【背景技術】
【０００２】
従来から、カップ型灰皿をドリンク用カップを保持するカップホルダー装置に保持させる構成のものが知られている（例えば、特許文献等１参照。）。
【特許文献１】実開平０６−７５８７７号公報
【発明の開示】
【発明が解決しようとする課題】
【０００３】
しかしながら、車両の振動、カップ型灰皿の持ち運びの際にたばこの吸い殻がカップ型灰皿から飛び出さないようにするためには、蓋体をカップ型灰皿に設ける必要があり、蓋体付きのカップ型灰皿の場合には、蓋体を開けたときに喫煙者が吸い殻を捨てやすいようにしてカップ型灰皿をカップホルダー装置に保持させなければならない。
【０００４】
ところが、従来の蓋体付きのカップ型灰皿では、車両の振動等によりカップホルダー装置に対してカップ型灰皿が回転することがあり、必ずしも使い勝手の良いものではない。
【０００５】
また、夜間等においては、カップ型灰皿が暗くて見えないようなこともあり、カップ型灰皿の位置を知覚させることができるようにするのが望ましい。
【０００６】
本発明は、上記の事情に鑑みて為されたもので、その目的とするところは、使い勝手のより一層便利なカップ型灰皿及びカップ型灰皿用のカップホルダー装置を提供することにある。
【課題を解決するための手段】
【０００７】
請求項１に記載のカップ型灰皿は、カップホルダー装置のドリンク用カップを保持する円形状の保持凹所に挿入されて保持されるものであって、たばこの吸い殻を収容する円形状のカップ形状収容本体と該カップ形状収容本体に対して開閉可能な蓋体とから構成され、前記カップ形状収容本体にはその周壁に前記保持凹所の周壁に係合する回り止め用リブが形成されていることを特徴とする。
【０００８】
請求項２に記載のカップ型灰皿用のカップホルダー装置は、ドリンク用カップを保持する円形状の保持凹所に、たばこの吸い殻を収容する円形状のカップ形状収容本体と該カップ形状収容本体に対して開閉可能な蓋体とから構成されかつ前記カップ形状収容本体にはその周壁に前記保持凹所の周壁に係合する回り止め用リブと上下方向振動によるガタツキ防止用係合突起とが形成されているカップ型灰皿を保持することが可能であって、前記保持凹所の周壁には前記ガタツキ防止用係合突起に係合する係合穴が形成され、前記ガタツキ防止用係合突起は前記カップ形状収容本体の内部に照明光を導光する導光体から構成され、該係合穴には該係合穴を塞ぐ方向に付勢された開閉可能の遮光板が設けられ、前記係合穴には遮光板を介して照明光導光部材が臨まされていることを特徴とする。
【０００９】
請求項３に記載のカップ型灰皿用のカップホルダー装置は、前記照明光導光部材の光源にＡ／Ｔデバイスの照明用の光源が兼用されていることを特徴とする。
【発明の効果】
【００１０】
請求項１に記載のカップ型灰皿によれば、たばこの吸い殻を収容する円形状のカップ形状収容本体と該カップ形状収容本体に対して開閉可能な蓋体とから構成し、前記カップ形状収容本体にはその周壁に前記保持凹所の周壁に係合する回り止め用リブを形成したので、車両の振動等によりカップホルダー装置に対してカップ型灰皿が回転するのを防止でき、使い勝手がより一層良好となる。
【００１１】
また、カップホルダー装置に回り止め用に専用の工夫を行わなくとも回り止めを図ることができるという効果も奏する。
【００１２】
請求項２に記載のカップ型灰皿用のカップホルダー装置は、夜間暗い場合にもカップ型灰皿の位置を認識でき、使い勝手がより一層良好となる。
【００１３】
また、ガタツキ防止用突起を導光体から構成したので、その照明構造の簡素化も図ることができる。
【００１４】
請求項３に記載の発明によれば、Ａ／Ｔデバイスの光源を利用できるので、コストアップを抑制できる。
【発明を実施するための最良の形態】
【００１５】
以下に、本発明に係わるカップ型灰皿及びこれに用いるカップホルダー装置の発明の実施の形態を図面を参照しつつ説明する。
【実施例】
【００１６】
図１、図２はセンターコンソール部（Ａ／Ｔデバイス装置）１に連接して設けられるカップホルダー装置２を示している。
【００１７】
そのカップホルダー装置２は、本体部３とリッド部４とから大略構成される。リッド部４はヒンジ部５’を支点にして開閉可能である。本体部３にはここでは図３に示すように２個のドリンク用カップ５、６を保持可能とされ、ドリンク用カップ５は運転席側に位置し、ドリンク用カップ６は助手席側に位置している。
【００１８】
その本体部３には図２に示すようにこのドリンク用カップ５、６を保持するための円形状の保持凹所７、８が形成されている。その保持凹所７、８の周壁には可動フラップ９、９が設けられ、この可動フラップ９、９は上方向に付勢されていて、この付勢力により、ドリンク用カップ５、６の外周部を対面側の保持凹所７、８の周壁に押しつける役割を果たす。
【００１９】
このカップホルダー装置２にカップ型灰皿１０を保持させるには、図４に示すように、ドリンク用カップの一方を保持凹所から取り外し、その保持凹所にカップ型灰皿１０を挿入する。ここでは保持凹所７にカップ型灰皿１０が保持された状態が示されている。
【００２０】
このカップ型灰皿１０は、図５に示すようにたばこの吸い殻を収容する円形状のカップ形状収容本体１１とこのカップ形状収容本体１１に対して開閉可能な蓋体１２とから構成されている。蓋体１２にはつまみ部１２ａが設けられている。
【００２１】
カップ形状収容本体１１の周壁には保持凹所７、８の平面形状周壁７ａ、８ａに係合する回り止め用リブ１３が形成されている。この回り止め用リブ１３は上下方向に延びており、回転方向に間隔を開けて２個一対のものとされている。この一対の回り止め用リブ１３はカップ形状収容本体１１を上から見て左右対称に設けられている。この一対の回り止め用リブ１３は平面形状周壁７ａ、８ａのいずれか一方に係合してそのカップ形状収容本体１１の回り止めを果たす。そのカップ形状収容本体１１の上部周壁には補助回り止め用突起１４が蓋体１２を挟んで左右一対設けられている。
【００２２】
この補助回り止め用突起１４は保持凹所７、８の上部隅壁部１５と係合して、カップ形状収容本体１１の回り止めを果たす。
【００２３】
そのカップ形状収容本体１１の下部には、上下方向振動によるガタツキ防止用係合突起１６が形成されている。このガタツキ防止用係合突起１６はカップ形状収容本体１１の内部に照明光を導光する導光体から構成されている。
【００２４】
保持凹所７、８の周壁１７にはガタツキ防止用係合突起１６に係合する係合穴１８が形成されている。この係合穴１８には係合穴１８を塞ぐ方向に付勢された開閉可能の可撓性の遮光板１９が設けられている。この係合穴１８には遮光板１９を介して照明光導光部材２０の先端が臨まされ、この照明光導光部材２０の光源にはＡ／Ｔデバイス１の照明用の光源が兼用されている。
【００２５】
このカップ型灰皿２及びカップホルダー装置１によれば、カップ型灰皿２を保持凹所７、８に挿入すると、ガタツキ防止用係合突起１６が係合穴１８に係合し、遮光板１９が撓むことにより開成されて照明光導光部材２０の先端がガタツキ防止用係合突起１６に臨み、照明光がカップ形状収容本体１１の内側底部を照明することになる。従って、夜間等において、カップ型灰皿２を使用する場合にその位置を把握できて便利である。また、照明による審美的効果も得られる。
【００２６】
また、走行中に車両が振動したとしても、回り止め用リブ１３、補助回り止め用突起１４の存在によりそのカップホルダー装置２に対する回転が防止されるので、たばこの吸い殻を捨てる際に蓋体１２が邪魔になるのを避けることができ、使い勝手も便利である。
【００２７】
更に、ガタツキ防止用係合突起１６と係合穴１８との係合により、車両振動による上下方向のカップ型灰皿１０のガタツキも防止されるので、中に入っているたばこの吸い殻、灰が飛び上がったり舞い上がったりするのを防止でき、衛生面でも好ましい。
【図面の簡単な説明】
【００２８】
【図１】本発明に係わるカップホルダー装置の概要を示す図である。
【図２】本発明に係わるカップホルダーの装置の概略構成を示す斜視図である。
【図３】本発明に係わるカップホルダー装置にドリンク用カップを保持させた状態を示す斜視図である。
【図４】本発明に係わるカップホルダー装置にドリンク用カップとカップ型灰皿とを保持させた状態を示す斜視図である。
【図５】本発明に係わるカップ型灰皿の外観形状を示す斜視図である。
【符号の説明】
【００２９】
１０…カップ型灰皿
１１…カップ形状収容本体
１２…本体
１３…回り止め用突起
【図１】
2005162143.tif 000003
【図２】
2005162143.tif 000004
【図３】
2005162143.tif 000005
【図４】
2005162143.tif 000006
【図５】
2005162143.tif 000007